(57)【要約】【課題】パイロット構造に基づいて、送信データを送信単位へ割り当てるマッピング方法を用いる送信機を提供する。【解決手段】送信データを割り当てた送信単位へパイロットシンボルを多重して送信する送信機１００であって、前記送信データから生成された複数種類のビット系列それぞれを、パイロット構造に基づいて前記送信単位をグループ分けした異なる複数のデータシンボル群に割り当てるマッピング部１２０を備える。マッピング部１２０は、パイロット構造に基づいて送信単位をグループ化した複数のデータシンボル群に関する情報を入手し、複数種類のビット系列を異なるデータシンボル群へ割り当てる。【選択図】図１
2007288350.tif 000002
【特許請求の範囲】
【請求項１】
送信データを割り当てた送信単位へパイロットシンボルを多重して送信する送信機であって、
前記送信データから生成された複数種類のビット系列それぞれを、パイロット構造に基づいて前記送信単位をグループ分けした異なる複数のデータシンボル群に割り当てるマッピング部を備えることを特徴とする送信機。
【請求項２】
前記マッピング部は、ｎ種類（ｎは２以上の自然数）のビット系列それぞれを、異なるｎ種類のデータシンボル群に割り当てることを特徴とする請求項１記載の送信機。
【請求項３】
前記マッピング部は、前記ｎ種類のビット系列として、前記送信データを符号化したシステマティックビット系列とパリティビット系列とを入力し、第一のデータシンボル群に前記システマティックビット群を割り当て、前記第一のデータシンボル群よりも伝搬路補償精度が低いデータシンボル群に前記パリティビット系列を割り当てることを特徴とする請求項２記載の送信機。
【請求項４】
前記パイロット構造に基づいて、前記複数種類のビット系列それぞれを前記送信単位へ割り当てる前記複数のデータシンボル群の配置を特定するマッピング方式を記憶し、前記マッピング方式によって特定されるデータシンボル群の配置を示すマッピング方式情報を前記マッピング部へ通知する方式管理部を、更に備え、
前記マッピング部は、前記マッピング方式情報に基づいて、前記複数種類のビット系列それぞれを異なるデータシンボル群へ割り当てることを特徴とする請求項１から請求項３のいずれかに記載の送信機。
【請求項５】
前記方式管理部は、送信単位内の各シンボルと前記パイロットシンボルとの時間軸方向の距離に基づいて前記複数のデータシンボル群の配置を特定するマッピング方式を記憶することを特徴とする請求項４記載の送信機。
【請求項６】
前記方式管理部は、送信単位内の各シンボルと前記パイロットシンボルとの周波数軸方向の距離に基づいて前記複数のデータシンボル群の配置を特定するマッピング方式を記憶することを特徴とする請求項４記載の送信機。
【請求項７】
前記方式管理部は、送信単位内のシンボルと前記パイロットシンボルとの時間軸方向または周波軸方向の少なくとも一方の距離を特定する閾値を設け、送信単位内の各シンボルと前記パイロットシンボルとの距離と前記閾値とを比較した結果に基づいて前記複数のデータシンボル群の配置を特定するマッピング方式を記憶することを特徴とする請求項４記載の送信機。
【請求項８】
前記方式管理部は、各シンボルと前記パイロットシンボルからの時間軸方向の距離と周波数方向の距離との加重平均値に基づいて前記複数のデータシンボル群の配置を特定するマッピング方式を記憶することを特徴とする請求項４記載の送信機。
【請求項９】
前記方式管理部は、複数のパイロットシンボルが符号拡散されている場合、前記拡散された複数のパイロットシンボルの重心をパイロットシンボルの位置として複数のデータシンボル群の配置を特定するマッピング方式を記憶することを特徴とする請求項５から請求項８のいずれかに記載の送信機。
【請求項１０】
前記送信データから生成された複数種類のビット系列を入力し、それぞれの種類のビット系列を個別にインタリーブするインタリーブ部を、更に備え、
前記マッピング部は、前記インタリーブ部がインタリーブしたビット系列を入力することを特徴とする請求項１から請求項９のいずれかに記載の送信機。
【請求項１１】
パイロット構造の切り替えを制御し、切り替えるパイロット構造を示すパイロット構造情報を前記方式管理部へ通知するパイロット制御部を、更に備え、
前記方式管理部は、複数のパイロット構造情報それぞれに対応するマッピング方式を記憶し、前記パイロット制御部から通知されたパイロット構造情報に対応するマッピング方式を選択し、選択したマッピング方式を示すマッピング方式情報を前記マッピング部へ通知することを特徴とする請求項４から請求項１０のいずれかに記載の送信機。
【請求項１２】
変調パラメータの切り替えを制御し、切り替えた変調パラメータを示す変調パラメータ情報を前記方式管理部へ通知する適応変調制御部を、更に備え、
前記方式管理部は、複数の変調パラメータ情報それぞれに対応するパイロット方式を記憶し、前記適応変調制御部から通知された変調パラメータ情報に対応するマッピング方式情報を選択し、選択したマッピング方式を示すマッピング方式情報を前記マッピング部へ通知することを特徴とする請求項４から請求項１０のいずれかに記載の送信機。
【請求項１３】
パイロット構造の切り替えを制御し、切り替えるパイロット構造を示すパイロット構造情報を前記方式管理部へ通知するパイロット制御部と、
変調パラメータの切り替えを制御し、切り替えた変調パラメータを示す変調パラメータ情報を前記方式管理部へ通知する適応変調制御部とを、更に備え、
前記方式管理部は、複数のパイロット構造情報と複数の変調パラメータ情報との組み合わせそれぞれに対応するパイロット方式を記憶し、前記パイロット制御部から通知されたパイロット構造情報と前記適応変調制御部から通知された変調パラメータ情報との組み合わせに対応するマッピング方式情報を選択し、選択したマッピング方式を示すマッピング方式情報を前記マッピング部へ通知することを特徴とする請求項４から請求項１０のいずれかに記載の送信機。
【請求項１４】
前記方式管理部が選択したマッピング方式を通知する送信部、を更に備えることを特徴とする請求項１１から請求項１３のいずれかに記載の送信機。
【請求項１５】
送信データを割り当てた送信単位へパイロットシンボルを多重したデータを通信先から受信する受信機であって、
送信単位内の複数のシンボルを、パイロットシンボルを参照して伝搬路補償する伝搬路補償部と、
前記パイロット構造に基づいて、複数種類のビット系列それぞれを前記送信単位へ割り当てる複数のデータシンボル群の配置を特定するマッピング方式であり、かつ、前記通信先と同一のマッピング方式を記憶し、前記マッピング方式によって特定されるデータシンボル群の配置を示すデマッピング方式情報を出力する方式管理部と、
前記方式管理部が出力するデマッピング方式情報に基づいて、前記伝搬路補償部で伝搬路補償された送信単位内の複数シンボルから、前記複数のビット系列に対応する判定値系列を取り出すデマッピング部と、を備えることを特徴とする受信機。
【請求項１６】
送信データを割り当てた送信単位へパイロットシンボルを多重して送信する送信機のマッピング方法であって、
前記送信データから生成されたｎ種類（ｎは２以上の自然数）のビット系列を、パイロット構造に基づいて分割された送信単位内のｎ種類のデータシンボル群に、それぞれ割り当てることを特徴とするマッピング方法。
【請求項１７】
送信データを割り当てた送信単位へパイロットシンボルを多重して送信する送信機のマッピング方法であって、
パイロット構造に基づいて送信単位内の複数のデータシンボル群の配置を決定し、複数種類のビット系列それぞれを異なるデータシンボル群に割り当てるマッピング方法。
【請求項１８】
送信データを割り当てた送信単位へパイロットシンボルを多重したデータを通信先から受信する受信機の受信方法であって、
パイロット構造に基づいて前記送信単位をグループ分けした異なる複数のデータシンボル群のうち、第一のデータシンボル群にシステマティックビット群を割り当て、前記第一のデータシンボル群よりも伝搬路補償精度が低いデータシンボル群にパリティビット系列を割り当てた複数のデータシンボル群を受信し、
受信した複数のデータシンボル群を、前記パイロットシンボルを参照して伝搬路補償し、
前記第一のデータシンボル群を復調して得られる第一の軟判定値系列と前記第二のデータシンボル群を復調して得られる第二の軟判定値系列とを、それぞれ前記システマティックビット系列と前記パリティビット系列に対応する軟判定値系列として復号化することを特徴とする受信方法。
【発明の詳細な説明】
【技術分野】
【０００１】
本発明は、パイロット構造に基づいて送信単位にデータシンボルをマッピングする技術に関する。
【背景技術】
【０００２】
従来から、無線で送受信される多値変調システムにおいては、伝搬路により、振幅や位相が変動することから、パイロット信号としてあらかじめ既知信号を送り、その振幅と位相を基準に、未知のデータ信号の振幅、位相の判断基準として、復調することが行われている。このような方式は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）変調システムでも同様である。
【０００３】
図１８は、従来のＯＦＤＭ変調システムのフレーム構成の一例を示す図である。図１８のフレーム構成は、ＯＦＤＭをベースとしている。図１８に示すように、周波数方向にとびとびのサブキャリアにパイロットシンボルを挿入し、パイロットシンボルが挿入されたサブキャリアにおける伝搬路推定にはパイロットシンボルを用いる。また、パイロットシンボルが挿入されていないサブキャリアの伝搬路推定値は、パイロットシンボルが挿入されたサブキャリアにおける伝搬路推定値を補間することにより求める。これは、周波数方向に連続的に変動するため、隣接する数本のサブキャリアにおける伝搬路推定値に相関があることを利用したものである。
【０００４】
また、補間により求められた伝搬路推定値は、パイロットシンボルを用いて直接推定された伝搬路推定値に比べて、推定精度が低下することが知られている。
【０００５】
無線通信に用いられる誤り訂正符号化方式として、シャノン限界に近い特性を持つターボ符号や低密度パリティ検査（ＬＤＰＣ：Ｌｏｗ  Ｄｅｎｓｉｔｙ  Ｐａｒｉｔｙ  Ｃｈｅｃｋ）符号などの符号化方式が注目を集めている。これらの符号化方式では、入力信号であるビット系列をそのまま出力する、いわゆるシステマティックビット系列と、冗長成分であるパリティビット系列を出力され、復号においては、システマティックビット系列とパリティビット系列の両方を用いることにより、誤り訂正を行う。このような符号語の性質から、システマティックビット系列は、パリティビット系列よりも本質的に重要である。
【０００６】
パリティビット系列に比べてシステマティックビット系列を信頼性の高い伝送路で送信することにより、誤り率の向上を図る方式が提案されている（特許文献１）。図１９は、従来のサブキャリアの割り当ての一例を示す図である。特許文献１の方式は、受信機が、各サブキャリアの伝搬路情報を測定し、測定した伝搬路情報を送信機に通知し、送信機が通知された伝搬路情報を基にして、図１９に示すように、信頼性の高いサブキャリアにシステマティックビット系列を優先的にマッピングし、信頼性の低いサブキャリアにパリティビット系列をマッピングするというものである。
【特許文献１】特開２００３−１０１５０４号公報
【非特許文献１】Ｊ．−Ｊ．  ｖａｎ  ｄｅ  Ｂｅｅｋ，Ｏ．  Ｅｄｏｒｓ，  Ｍ．  Ｓａｎｄｅｌｌ，Ｓ．  Ｋ．  Ｗｉｌｓｏｎ  ａｎｄ  Ｐ．  Ｏ．  Ｂｏｒｊｅｓｓｏｎ，“Ｏｎ  ｃｈａｎｎｅｌ  ｅｓｔｉｍａｔｉｏｎ  ｉｎ  ＯＦＤＭ  ｓｙｓｔｅｍｓ”，Ｐｒｏｃ．  ｏｆ  ＩＥＥＥ  ＶＴＣ’９５，  Ｃｈｉｃａｇｏ，  Ｊｕｌｙ  １９９５，ｐ．８１５−８１９
【発明の開示】
【発明が解決しようとする課題】
【０００７】
しかしながら、特許文献１に開示された方式は、伝搬路状態による伝送路の信頼性に基づいてマッピングを行うものである、一方、伝送路の信頼性は伝搬路状態によるものだけでなく、前述のようにパイロットシンボルの配置にも依存する。さらに、この方式は、受信機から送信機に伝搬路情報を通知する必要がある。また、通知された伝搬路情報に基づいてマッピング方法を決定するため、送信機から受信機にマッピング方法を通知する必要がある。このように伝搬路状態に応じてマッピング方法を変更する場合、マッピング方法は多様に変化するためマッピング方法の通知に要する情報量は増大してしまう。
【０００８】
本発明は、このような事情に鑑みてなされたものであり、パイロット構造に基づいて、送信データを送信単位へ割り当てるマッピング方法並びに前記マッピング方法を用いて送信データを送信単位へ割り当てる送信機、並びに、前記マッピング方法を用いて送信データを割り当てられたデータを受信する受信機を提供することを目的とする。
【課題を解決するための手段】
【０００９】
（１）本発明に係る送信機の一態様は、送信データを割り当てた送信単位へパイロットシンボルを多重して送信する送信機であって、前記送信データから生成された複数種類のビット系列それぞれを、パイロット構造に基づいて前記送信単位をグループ分けした異なる複数のデータシンボル群に割り当てるマッピング部を備えることを特徴とする。
【００１０】
このように、前記マッピング部は、パイロット構造に基づいて送信単位をグループ分けした複数のデータシンボル群に関する情報を入手し、複数種類のビット系列を異なるデータシンボル群へ割り当てる。これにより、予めパイロットシンボルの多重方法が決められている場合、予め伝搬路推定誤差をシミュレートすることにより、各ＭＣＳに対応した複数種類のビット系列のマッピング方式（マッピング方法）を一意に決めることができる。そのため、予め送信機と受信機の間でマッピング方式を設定しておくことにより、マッピング方法通知のための新たな通知情報を用いることなく、誤り率の低いマッピングを行うことができる。
【００１１】
（２）また、本発明に係る送信機の一態様において、前記マッピング部は、ｎ種類（ｎは２以上の自然数）のビット系列それぞれを、異なるｎ種類のデータシンボル群に割り当てることを特徴とする。
【００１２】
このように、前記マッピング部は、ｎ種類のビット系列を入力し、入力したｎ種類のビット系列を、パイロット構造に基づいてグループ分けされた異なるｎ種類のデータシンボル群に割り当てることにより、マッピング方法通知のための新たな通知情報を用いることなく、誤り率の低いマッピングを行う。ｎ種類のビット系列とｎ種類のデータシンボル群との対応は、予め決められている。
【００１３】
（３）さらに、本発明に係る送信機の一態様において、前記マッピング部は、前記ｎ種類のビット系列として、前記送信データを符号化したシステマティックビット系列とパリティビット系列とを入力し、第一のデータシンボル群に前記システマティックビット群を割り当て、前記第一のデータシンボル群よりも伝搬路補償精度が低いデータシンボル群に前記パリティビット系列を割り当てることを特徴とする。
【００１４】
このように、システマティックビット系列とパリティビット系列とを前記マッピング部へ入力することにより、マッピング部は、重要度の高いシステマティックビット系列を伝搬路推定精度が高いデータシンボル群へマッピングすることができる。
【００１５】
（４）本発明に係る送信機の一態様において、前記パイロット構造に基づいて、前記複数種類のビット系列それぞれを前記送信単位へ割り当てる前記複数のデータシンボル群の配置を特定するマッピング方式を記憶し、前記マッピング方式によって特定されるデータシンボル群の配置を示すマッピング方式情報を前記マッピング部へ通知する方式管理部を、更に備え、前記マッピング部は、前記マッピング方式情報に基づいて、前記複数種類のビット系列それぞれを異なるデータシンボル群へ割り当てることを特徴とする。
【００１６】
このように、前記方式管理部を備えることにより、前記マッピング部へ適切なマッピング方式を通知することができる。また、前記マッピング部は、通知されるマッピング方式情報に基づいて、複数種類のビット系列を異なるデータシンボル群へ割り当てることが可能となる。
【００１７】
（５）本発明に係る送信機の一態様において、前記方式管理部は、送信単位内の各シンボルと前記パイロットシンボルとの時間軸方向の距離に基づいて前記複数のデータシンボル群の配置を特定するマッピング方式を記憶することを特徴とする。
【００１８】
このように、マッピング方式は、パイロットシンボルからの時間軸方向の距離が近いシンボルを伝搬路推定精度が高いシンボルとすることができる。
【００１９】
（６）本発明に係る送信機の一態様において、前記方式管理部は、送信単位内の各シンボルと前記パイロットシンボルとの周波数軸方向の距離に基づいて前記複数のデータシンボル群の配置を特定するマッピング方式を記憶することを特徴とする。
【００２０】
このように、マッピング方式は、パイロットシンボルからの周波数軸方向の距離が近いシンボルを伝搬路推定精度が高いシンボルとすることができる。
【００２１】
（７）本発明に係る送信機の一態様において、前記方式管理部は、送信単位内のシンボルと前記パイロットシンボルとの時間軸方向または周波数軸方向の少なくとも一方の距離を特定する閾値を設け、送信単位内の各シンボルと前記パイロットシンボルとの距離と前記閾値とを比較した結果に基づいて前記複数のデータシンボル群の配置を特定するマッピング方式を記憶することを特徴とする。
【００２２】
このように、マッピング方式は、パイロットシンボルからの時間軸方向及び周波数軸方向の距離が所定の閾値より小さいシンボルを伝搬路推定精度が高いシンボルとすることができる。
【００２３】
（８）本発明に係る送信機の一態様において、前記方式管理部は、各シンボルと前記パイロットシンボルからの時間軸方向の距離と周波数方向の距離との加重平均値に基づいて前記複数のデータシンボル群の配置を特定するマッピング方式を記憶することを特徴とする。
【００２４】
このように、マッピング方式は、パイロットシンボルからの時間軸方向の距離と周波数軸方向の距離との加重平均が小さいシンボルを伝搬路推定精度が高いシンボルとすることができる。
【００２５】
（９）本発明に係る送信機の一態様において、前記方式管理部は、複数のパイロットシンボルが符号拡散されている場合、前記拡散された複数のパイロットシンボルの重心をパイロットシンボルの位置として複数のデータシンボル群の配置を特定するマッピング方式を記憶することを特徴とする。
【００２６】
このように、拡散された複数のパイロットシンボルを多重する送信機へもパイロット構造に基づいてマッピング方式を特定することが可能になる。
【００２７】
（１０）本発明に係る送信機の一態様において、前記送信データから生成された複数種類のビット系列を入力し、それぞれの種類のビット系列を個別にインタリーブするインタリーブ部を、更に備え、前記マッピング部は、前記インタリーブ部がインタリーブしたビット系列を入力することを特徴とする。
【００２８】
このように、マッピング部に入力するビット系列を事前にインタリーブする場合にでも、パイロット構造に基づいてビット系列をマッピングすることが可能になる。
【００２９】
（１１）本発明に係る送信機の一態様において、パイロット構造の切り替えを制御し、切り替えるパイロット構造を示すパイロット構造情報を前記方式管理部へ通知するパイロット制御部を、更に備え、前記方式管理部は、複数のパイロット構造情報それぞれに対応するマッピング方式を記憶し、前記パイロット制御部から通知されたパイロット構造情報に対応するマッピング方式を選択し、選択したマッピング方式を示すマッピング方式情報を前記マッピング部へ通知することを特徴とする。
【００３０】
このように、パイロット制御部から方式管理部へパイロット構造の切り替えを通知することにより、方式管理部は、パイロット構造の切り替えに応じてマッピング方式を選択することが可能になり、マッピング部は、パイロット構造に応じて適切なマッピング方式に基づいてビット系列をマッピングすることができる。
【００３１】
（１２）本発明に係る送信機の一態様において、変調パラメータの切り替えを制御し、切り替えた変調パラメータを示す変調パラメータ情報を前記方式管理部へ通知する適応変調制御部を、更に備え、前記方式管理部は、複数の変調パラメータ情報それぞれに対応するパイロット方式を記憶し、前記適応変調制御部から通知された変調パラメータ情報に対応するマッピング方式情報を選択し、選択したマッピング方式を示すマッピング方式情報を前記マッピング部へ通知することを特徴とする。
【００３２】
このように、適応変調制御部から方式管理部へ変調パラメータの切り替えを通知することにより、方式管理部は、変調パラメータの切り替えに応じてマッピング方式を選択することが可能になり、マッピング部は、変調パラメータに応じて適切なマッピング方式に基づいてビット系列をマッピングすることができる。
【００３３】
（１３）本発明に係る送信機の一態様において、パイロット構造の切り替えを制御し、切り替えるパイロット構造を示すパイロット構造情報を前記方式管理部へ通知するパイロット制御部と、変調パラメータの切り替えを制御し、切り替えた変調パラメータを示す変調パラメータ情報を前記方式管理部へ通知する適応変調制御部とを、更に備え、前記方式管理部は、複数のパイロット構造情報と複数の変調パラメータ情報との組み合わせそれぞれに対応するパイロット方式を記憶し、前記パイロット制御部から通知されたパイロット構造情報と前記適応変調制御部から通知された変調パラメータ情報との組み合わせに対応するマッピング方式情報を選択し、選択したマッピング方式を示すマッピング方式情報を前記マッピング部へ通知することを特徴とする。
【００３４】
このように、パイロット制御部から方式管理部へパイロット構造の切り替えを通知し、適応変調制御部から方式管理部へ変調パラメータの切り替えを通知することにより、方式管理部は、パイロット構造及び変調パラメータの切り替えに応じてマッピング方式を選択することが可能になり、マッピング部は、パイロット構造及び変調パラメータに応じて適切なマッピング方式に基づいてビット系列をマッピングすることができる。
【００３５】
（１４）本発明に係る送信機の一態様において、前記方式管理部が選択したマッピング方式を通知する送信部、を更に備えることを特徴とする。
【００３６】
このように、マッピング方式の変更を通信先の受信機へ通知することにより、マッピング方式を変更する場合であっても、通信先の受信機がデマッピングすることが可能になる。
【００３７】
（１５）本発明に係る受信機の一態様は、送信データを割り当てた送信単位へパイロットシンボルを多重したデータを通信先から受信する受信機であって、送信単位内の複数のシンボルを、パイロットシンボルを参照して伝搬路補償する伝搬路補償部と、前記パイロット構造に基づいて、複数種類のビット系列それぞれを前記送信単位へ割り当てる複数のデータシンボル群の配置を特定するマッピング方式であり、かつ、前記通信先と同一のマッピング方式を記憶し、前記マッピング方式によって特定されるデータシンボル群の配置を示すデマッピング方式情報を出力する方式管理部と、前記方式管理部が出力するデマッピング方式情報に基づいて、前記伝搬路補償部で伝搬路補償された送信単位内の複数シンボルから、前記複数のビット系列に対応する判定値系列を取り出すデマッピング部と、を備えることを特徴とする。
【００３８】
このように、パイロット構造に基づいて送信単位を複数のデータシンボル群にグループ分けするマッピング方式を用い、予め使用するマッピング方式を送信機と取り決めることにより、送信機と受信機との間で、伝搬路推定結果の情報やマッピング方式をやり取りすることなく、受信機は、誤り率の低いマッピング方式でマッピングされた信号を受信することが可能になる。
【００３９】
（１６）本発明に係るマッピング方法の一態様は、送信データを割り当てた送信単位へパイロットシンボルを多重して送信する送信機のマッピング方法であって、前記送信データから生成されたｎ種類（ｎは２以上の自然数）のビット系列を、パイロット構造に基づいて分割された送信単位内のｎ種類のデータシンボル群に、それぞれ割り当てることを特徴とする。
【００４０】
このように、パイロット構造に基づいて送信単位をグループ分けしたｎ種類のデータシンボル群それぞれへ、ｎ種類のビット系列をマッピングすることが可能になる。ｎ種類のビット系列は、伝搬路誤差精度が異なるｎ種類のデータシンボル群へマッピングすることができるため、ビット系列の重要度に基づいてマッピングするデータシンボル群を選択することが可能になる。これにより、予め送信機と受信機の間でマッピング方式（マッピング方法）を設定しておくことにより、マッピング方法通知のための新たな通知情報を用いることなく、誤り率の低いマッピングを行うことができる。
【００４１】
（１７）本発明に係るマッピング方法の別の一態様は、送信データを割り当てた送信単位へパイロットシンボルを多重して送信する送信機のマッピング方法であって、パイロット構造に基づいて送信単位内の複数のデータシンボル群の配置を決定し、複数種類のビット系列それぞれを異なるデータシンボル群に割り当てる。
【００４２】
このように、パイロット構造に基づいて送信単位をグループ分けする複数のデータシンボル群へ、複数種類のビット系列をマッピングすることが可能になる。複数種類のビット系列は、伝搬路誤差精度が異なるデータシンボル群へマッピングすることができるため、ビット系列の重要度に基づいてマッピングするデータシンボル群を選択することが可能になる。これにより、予め送信機と受信機の間でマッピング方式（マッピング方法）を設定しておくことにより、マッピング方法通知のための新たな通知情報を用いることなく、誤り率の低いマッピングを行うことができる。
【００４３】
（１８）本発明に係る受信方法の一態様は、送信データを割り当てた送信単位へパイロットシンボルを多重したデータを通信先から受信する受信機の受信方法であって、パイロット構造に基づいて前記送信単位をグループ分けした異なる複数のデータシンボル群のうち、第一のデータシンボル群にシステマティックビット群を割り当て、前記第一のデータシンボル群よりも伝搬路補償精度が低いデータシンボル群にパリティビット系列を割り当てた複数のデータシンボル群を受信し、受信した複数のデータシンボル群を、前記パイロットシンボルを参照して伝搬路補償し、前記第一のデータシンボル群を復調して得られる第一の軟判定値系列と前記第二のデータシンボル群を復調して得られる第二の軟判定値系列とを、それぞれ前記システマティックビット系列と前記パリティビット系列に対応する軟判定値系列として復号化することを特徴とする。
【００４４】
このように、受信機は、パイロット構造に基づいてグループ分けされた、伝搬路補償精度が異なる複数のデータシンボル群に割り当てられたデータを受信し、データシンボル群毎に、デマッピングすることにより、誤り率の低い復号化が可能となる。
【発明の効果】
【００４５】
本発明によれば、パイロット構造に基づいて、送信データを送信単位へ割り当てることが可能となる。
【発明を実施するための最良の形態】
【００４６】
次に、本発明の実施の形態について、図面を参照しながら説明する。各図面において同一の構成または機能を有する構成要素および相当部分には、同一の符号を付し、その説明は省略する。
【００４７】
パイロットシンボルは、伝搬路推定用のシンボルであり、復調用の基準信号を生成する既知の信号（パイロット信号）を含むシンボルである。また、パイロットシンボルは、パイロット構造によって特定される位置に多重して送信される。パイロット構造は、送信単位内のパイロットシンボルの配置（位置）を特定する。
【００４８】
送信単位は、一回に送信する単位であり、複数のシンボルから構成される。本明細書では、時間軸方向と周波数軸方向に複数のシンボルを有する送信単位を用いて説明する。しかしながら、時間軸方向、周波数軸方向のいずれか一方に複数のシンボルを配置する場合であっても本発明を適用することは可能である。各シンボルには、パイロットシンボルまたは、ビット系列（二値の情報系列）を変調したデータシンボル（複素情報系列）が配置される。
【００４９】
以下の説明では、変調パラメータ（ＭＣＳ：Ｍｏｄｕｌａｔｉｏｎ  ａｎｄ  Ｃｏｄｉｎｇ  Ｓｃｈｅｍｅ）は、変調方式または符号化方式の少なくとも一方を特定するパラメータであり、変調方式、符号化方式、並びに、変調方式と符号化方式の組み合わせが含まれる。本明細書では、変調パラメータは、ＭＣＳ値で特定される場合を一例として用いて説明する。また、各実施形態では、一例としてＯＦＤＭシステムで採用するフレームを用いて説明する。フレームは、複数のシンボルを含む送信単位の一例である。フレームは、複数のシンボルから構成される複数のブロックからなるという概念もあるが、本明細書ではブロックの単位を用いず、シンボルの単位で説明する。本明細書では、フレームは、送信単位の一例として示すものであり、例えば、ブロックを送信単位とする場合であっても本発明を適用することは可能である。本発明は、所定の送信単位内に、パイロットシンボルを多重してデータを通信する通信装置（通信システム）へ適用することができる。
【００５０】
なお、以下の各実施形態において、送信機と受信機とにおいて同じ構成要素の名称が存在する場合、送信側、あるいは、受信側という名称を付加して（例えば、送信側方式管理部、受信側方式管理部）どちらに配置されている構成要素を区別することがある。また、以下の各実施形態におけるマッピングとは、各ビットを送信単位内のいずれかのシンボルに割り当てることを意味する。
【００５１】
（第１の実施形態）
第１の実施形態では、パイロット構造が固定であるシステムについて説明する。本実施形態では、予め送信機と受信機は、同じパイロット構造が通知されていることを前提とする。図１は、第１の実施形態に係る送信機１００の構成の一例を示すブロック図である。図１に示すように、送信機１００は、符号化部１１０、マッピング部１２０、方式管理部１３０、変調部１４０、パイロット生成部１５０、多重部１６０、ＩＦＦＴ（Ｉｎｖｅｒｓｅ  Ｆａｓｔ  Ｆｏｕｒｉｅｒ  Ｔｒａｎｓｆｏｒｍａｔｉｏｎ）部１７０、無線送信部１８０、並びに、アンテナ部９１を有する。
【００５２】
符号化部１１０は、送信データを入力し、入力した送信データを複数のグループのビット系列に分割し、分割した複数種類のビット系列を出力する。本実施形態では、システマティックビット系列とパリティビット系列との二つのグループに分割する場合を一例として説明する。なお、図１では、符号化部１１０から複数のビット列が出力される例を示しているが、符号化部１１０から出力されるビット列は一つにまとまっている場合もあり、各ビット系列のビット数がマッピング部１２０に通知されればよい。
【００５３】
マッピング部１２０は、送信データから生成された（送信データを符号化した）複数種類のビット系列を入力し、送信データから生成された複数種類のビット系列それぞれを、パイロット構造に基づいて前記送信単位をグループ分けした異なる複数のデータシンボル群に割り当てる。具体的には、マッピング部１２０は、方式管理部１３０から通知されるマッピング方式によって特定されるデータシンボル群の配置を示すマッピング方式情報に従って、複数種類のビット系列それぞれを異なるデータシンボル群へ割り当てる。
【００５４】
マッピング方式（マッピング方法）は、パイロット構造に基づいて、複数種類のビット系列それぞれを送信単位へ割り当てる複数のデータシンボル群の配置を特定する（送信単位をグループ分けする）方式を特定する方式（方法）である。複数のデータシンボル群は、マッピング方式に基づいて、グループ分けされる送信単位の一部分である。ここでは、マッピング部１２０は、ｎ種類（ｎは２以上の自然数）のビット系列それぞれを、異なるｎ種類のデータシンボル群に割り当てる場合を説明し、特に、ｎが２であり、マッピング部１２０は、複数種類のビット系列として、送信データを符号化したシステマティックビット系列とパリティビット系列とを符号化部１１０から入力する場合を一例として説明する。マッピング方式は、ｎ種類のビット系列をｎ種類のデータシンボル群に割り当てることを前提として特定されている。
【００５５】
方式管理部１３０は、パイロット構造に対応するマッピング方式を記憶し、マッピング方式を示すマッピング方式情報をマッピング部１２０へ通知する。方式管理部１３０は、マッピング方式を記憶する記憶領域を備える。方式管理部１３０は、方式制御部、マッピング制御部という名称であってもよい。
【００５６】
変調部１４０は、ビット系列を所定のＭＣＳを用いて変調し、変調シンボル系列を出力する。パイロット生成部１５０は、伝搬路推定用のパイロットシンボル系列を生成する。多重部１６０は、変調部１４０から出力される変調シンボル系列と、パイロット生成部１５０から出力されるパイロットシンボル系列とを入力し、変調シンボル系列とパイロットシンボル系列とを多重する。ＩＦＦＴ部１７０は、多重部１６０が多重したシンボル系列をＩＦＦＴ処理し、ＯＦＤＭシンボル系列を生成する。無線送信部１８０は、ＩＦＦＴ部で生成されたＯＦＤＭシンボル系列をアンテナ部９１を介して受信機へ送信する。
【００５７】
次いで、本実施形態の送信機１００の動作の概略の一例を説明する。符号化部１１０において、送信データは誤り訂正符号化され、システマティックビット系列とパリティビット系列とが出力される。なお、符号化部１１０は、所定のＭＣＳとなるようなパンクチャリングあるいはビットパディングなどのレートマッチング処理を含むものとする。マッピング部１２０では、符号化部１１０から出力されたシステマティックビット系列とパリティビット系列を、方式管理部１３０から通知されるマッピング方式情報に基づいて、それぞれ異なるデータシンボル群に割り当てる。マッピング方式と割り当てに関する説明は後述する。
【００５８】
マッピング部１２０から出力されたビット系列は、変調部１４０で所定のＭＣＳに変調され、変調シンボル系列が出力される。パイロット生成部１５０では、伝搬路推定用のパイロットシンボル系列が生成される。多重部１６０では、変調部１４０において生成された変調シンボル系列と、パイロット生成部１５０で生成されたパイロットシンボル系列を多重する。多重に関してはマッピングと同様に後述する。多重部１６０から出力されたシンボル系列は、ＩＦＦＴ部１７０でＩＦＦＴ処理されＯＦＤＭシンボル系列が生成される。ＩＦＦＴ部１７０で生成されたＯＦＤＭシンボル系列は、無線送信部１８０からアンテナ部９１を介して受信機に送信される。
【００５９】
次に、受信機について説明する。図２は、第１の実施形態に係る受信機２００の構成の一例を示すブロック図である。図２に示すように、受信機２００は、アンテナ部９２、無線受信部２１０、ＦＦＴ（Ｆａｓｔ  Ｆｏｕｒｉｅｒ  Ｔｒａｎｓｆｏｒｍａｔｉｏｎ）部２２０、分離部２３０、伝搬路推定部２４０、チャネル補償部２５０、復調部２６０、デマッピング部２７０、方式管理部２８０、並びに、復号化部２９０を有する。
【００６０】
無線受信部２１０は、送信機から送信されたＯＦＤＭシンボル系列を、アンテナ部９２を介して受信する。ＦＦＴ部２２０は、受信したＯＦＤＭシンボル系列をＦＦＴ処理し、サブキャリア毎のシンボル系列を生成する。分離部２３０は、サブキャリア毎のシンボル系列からパイロットシンボル系列と変調ビット系列とを分離し、パイロットシンボル系列を伝搬路推定部２４０へ出力し、変調ビット系列をチャネル補償部２５０へ出力する。伝搬路推定部２４０は、分離部２３０から出力されたパイロットシンボル系列に基づいて、サブキャリア毎の伝搬路を推定し、推定した結果（伝搬路推定結果）をチャネル補償部２５０へ出力する。チャネル補償部２５０は、分離部２３０から出力された変調シンボル系列と、伝搬路推定部２４０から出力された伝搬路推定結果とに基づいて、変調シンボル系列のチャネル補償を行う。復調部２６０は、チャネル補償された変調シンボル系列を復調し、ビット系列を出力する。
【００６１】
デマッピング部２７０は、方式管理部２８０から通知されるマッピング方式情報に基づいて、サブキャリア毎のビット系列を複数種類のビット系列に分離する。本実施形態では、システマティックビット系列とパリティビット系列とに分離する。
【００６２】
方式管理部２８０は、パイロット構造に対応するマッピング方式を記憶し、マッピング方式を示すマッピング方式情報をデマッピング部２７０へ通知する。方式管理部２８０は、マッピング方式を記憶する記憶領域を備える。また、送信機１００と受信機２００との間では、システム構築時にパイロット構造を決定して共有し、共有するパイロット構造に対応するマッピング方式を記憶する。従って、送信機と受信機とは、同じマッピング方式を記憶することになる。
【００６３】
復号化部２９０は、デマッピングされた複数種類のビット系列を誤り訂正復号化し、受信データを取り出す。
【００６４】
次いで、本実施形態の受信機２００の動作の概略の一例を説明する。アンテナ部９２を介して、無線受信部２１０で受信されたＯＦＤＭシンボル系列は、ＦＦＴ部２２０においてＦＦＴ処理されサブキャリアごとのシンボル系列が生成される。分離部２３０では、送信機１００内の多重部１６０と逆の処理が行われる。すなわち、分離部２２０は、サブキャリアごとのシンボル系列からパイロットシンボル系列と変調シンボル系列を分離し、パイロットシンボル系列を伝搬路推定部２４０に、変調シンボル系列をチャネル補償部２５０にそれぞれ出力する。伝搬路推定部２４０では、分離部２３０から送られてきたパイロットシンボル系列を基に、サブキャリアごとの伝搬路を推定し、推定結果（伝搬路推定結果）をチャネル補償部２５０に出力する。チャネル補償部２５０では、伝搬路推定部２４０から出力されたサブキャリアごとの伝搬路推定結果に基づいた重みを、分離部２３０から出力された変調シンボル系列に乗算することにより、チャネル補償（伝搬路補償）を行う。
【００６５】
チャネル補償部２５０においてチャネル補償された変調シンボル系列は、復調部２６０において復調され、ビット系列が生成される。デマッピング部２７０では、送信機１００内のマッピング部１２０と逆の処理が行われる。すなわち、復調部２６０から出力された各サブキャリアにおけるビット系列を、方式管理部２８０から通知されるマッピング方式情報に基づいて、システマティックビット系列とパリティビット系列に分離する。復号化部２９０では、デマッピング部２７０から出力されたシステマティックビット系列とパリティビット系列を誤り訂正復号化し、受信データを取り出す。
【００６６】
次にマッピング部１２０と多重部１６０の処理について説明する。図３は、マッピング方式及び伝搬路推定誤差の一例を示す図である。図３の上段にビット系列のシンボル群へのマッピングおよびパイロットシンボルの多重の一例を示し、図３の下段に図３の上段に示すパイロットシンボル多重時の受信機２００内の伝搬路推定部２４０における各サブキャリアの伝搬路推定誤差の一例をそれぞれ示す。図３の上段において、矩形は送信単位を構成するシンボルであり、黒塗りの矩形はパイロットシンボル、白抜きの矩形は、システマティックビットをマッピングするシンボル、網掛けの矩形はパリティビットをマッピングするシンボルを示している。図３の上段において、黒塗りの矩形の配置は、パイロット構造を示している。
【００６７】
図３の上段に示すように、多重部１６０では、パイロット構造に基づいてパイロットシンボル系列を、フレームの先頭のＯＦＤＭシンボル系列の中のとびとびのサブキャリアに多重する。このとき、受信機２００内の伝搬路推定部２４０では、パイロットシンボルが挿入されたサブキャリアでは、パイロットシンボルを用いた伝搬路推定が行われ、パイロットシンボルが挿入されないサブキャリアでは、パイロットシンボルが挿入されたサブキャリアにおける伝搬路推定値を補間（直線補間、スプライン補間、ｓｉｎｃ関数補間など）することにより、伝搬路推定が行われる。この補間処理により、パイロットシンボルが挿入されたサブキャリアにおける伝搬路推定精度に比べて、パイロットシンボルが挿入されないサブキャリアにおける伝搬路推定精度には劣化が生じる。
【００６８】
つまり、図３の下段に示すように、パイロットシンボルが挿入されたサブキャリアの伝搬路推定誤差が最も小さく、パイロットが挿入されたサブキャリアから離れるほど伝搬路推定誤差は大きくなる。図３では、パイロットシンボルが挿入されたサブキャリアと、伝搬路推定誤差の値（一部分）とを点線で結び、対応関係がわかりやすいように表示している。点線で結んでいないサブキャリアについても同様の対応関係となる。また、以下において説明する同様の図面においても、一部分の搬路推定誤差の値を点線を用いて結び対応関係を示している。
【００６９】
一般的に、システマティックビット系列とパリティビット系列を用いてターボ復号化処理を行う場合、パリティビットに比べて、システマティックビットが復号結果に与える影響は大きい。すなわち、システマティックビットをパリティビットに比べて信頼性の高いサブキャリアに配置されたシンボルに割り当てることで、誤り率の向上を図ることができる。
【００７０】
そこで、図３の上段に示すようなパイロット構造をとる場合、同じく図３の上段に示すようにシステマティックビット系列とパリティビット系列を割り当てる。つまり、システマティックビット系列をパイロットシンボルが挿入されたサブキャリアに近いサブキャリアに配置されたシンボルに割り当て、パイロットシンボルが挿入されたサブキャリアから遠いサブキャリアに配置されたシンボルにはパリティビット系列を割り当てる。
【００７１】
図４は、図３とは符号化率が異なるマッピング方式及び伝搬路推定誤差の一例を示す図であり、ビット系列のシンボル群へのマッピングおよびパイロットシンボルの多重の他の一例を示す。図４の上段の矩形の種類は、図３と同様である。図３とは符号化率、すなわちシステマティックビット数とパリティビット数の比率が異なる。伝搬路は時間的に変動するため、フレーム内の同じサブキャリアに配置されたシンボルでも、時間的にパイロットシンボルに近いシンボルの伝搬路状態は、パイロットシンボルから離れたシンボルの伝搬路状態に比べて、パイロットシンボルから求められた伝搬路推定値に近い。つまり、同じサブキャリアに配置されたシンボルにおいても、時間的にパイロットシンボルに近いシンボルの方が、伝搬路推定精度が高い。そこで、図４の上段に示すように、パイロットシンボルが挿入されたサブキャリアに近いサブキャリアに配置されたシンボルと、その近隣のサブキャリアに配置されたシンボルの中で時間的にパイロットシンボルに近いシンボルに、システマティックビット系列を割り当て、それ以外のシンボルに、パリティビット系列を割り当てる。
【００７２】
方式管理部（送信機側方式管理部）１５０並びに方式管理部（受信機側方式管理部）２８０では、上記のようにパイロット構造と、システマティックビット数とパリティビット数の比率に基づいて算出されたマッピング方式が記憶されており、マッピング方式を示すマッピング方式情報をマッピング部１２０あるいはデマッピング部２７０に通知する。
【００７３】
また、方式管理部１５０、２８０では、マッピング方式の一例として次のような方式を記憶する。（１）送信単位内の各シンボルとパイロットシンボルとの時間軸方向の距離に基づいて複数のシンボル群の配置を決定するマッピング方式、（２）送信単位内の各シンボルとパイロットシンボルとの周波数軸方向の距離に基づいて複数のシンボル群の配置を決定するマッピング方式、（３）シンボルとパイロットシンボルとの時間軸方向または周波軸方向の少なくとも一方の距離を特定する閾値を設け、送信単位内の各シンボルとパイロットシンボルとの距離と閾値とを比較した結果に基づいて複数のシンボル群の配置が決定するマッピング方式、（４）送信単位内の各シンボルと前記パイロットシンボルとの時間軸方向の距離と周波数方向の距離との加重平均値に基づいて複数のシンボル群の配置を決定するマッピング方式。また、上記以外の方式であってもよく、パイロット構造に対応した送信単位内の各シンボルの伝搬路推定誤差に基づいて複数のシンボル群の配置が決定された方式であればよい。
【００７４】
なお、マッピング方式は、計算式など、複数のデータシンボル群を配置する方法を示す情報であっても良いし、具体的に複数のデータシンボル群の配置を示す情報であってもよい。マッピング方式情報は、マッピング方式に基づいて、マッピング部１２０がビット系列をマッピングするための情報、デマッピング方式情報は、マッピング方式に基づいてデマッピング部２７０がビット系列をデマッピングするための情報である。送信機１００では、方式管理部１３０がマッピング方式に基づいて送信単位をグループ分けして複数のデータシンボル群に分割したマッピング方式情報をマッピング部１２０へ通知し、マッピング部１２０がマッピング方式情報に基づいて、複数種類のビット系列をそれぞれ異なるデータシンボル群へ割り当てている。
【００７５】
以上のように、予めパイロットシンボルの多重方法が決められている場合、予め伝搬路推定誤差を予測することにより、各ＭＣＳに対応したシステマティックビット系列とパリティビット系列のマッピング方式（マッピング方法）を一意に決めることができる。そのため、予め送信機と受信機の間でマッピング方式（マッピング方法）を設定しておくことにより、マッピング方法通知のための新たな通知情報を用いることなく、誤り率の低い割り当てを行うことができる。従って、送信機と受信機との間で、伝搬路状態のフィードバックやマッピング方式情報の通知を必要とせずに、システマティックビット系列とパリティビット系列をパイロットシンボルの配置に対応する伝送路の信頼性に基づいて割り当てることができる。
【００７６】
（第２の実施形態）
第２の実施形態では、パイロット構造を適応的に切り替えるシステムについて説明する。
【００７７】
図５は、第２の実施形態に係る送信機２００の構成の一例を示すブロック図である。図５に示すように、送信機３００は、符号化部１１０、マッピング部１２０、方式管理部３１０、変調部１４０、パイロット制御部３２０、パイロット生成部３３０、多重部３４０、ＩＦＦＴ部１７０、無線送信部１８０、並びに、アンテナ部９１を有する。送信機３００は、図１の送信機１００にパイロット制御部３２０が加わり、方式管理部３１０、パイロット生成部３３０、及び多重部３４０の機能が変更されている。
【００７８】
パイロット制御部３２０は、パイロット構造の切り替えを制御するブロックであり、パイロット構造に対応するパイロットシンボルの生成を指示するパイロット生成制御情報をパイロット生成部３３０に通知する。また、パイロット制御部３２０は、パイロット構造に対応するシンボルの多重を指示する多重制御情報を多重部１６０に通知する。さらに、パイロット構造を示すパイロット構造情報を方式管理部に通知する。また、パイロット構造を受信機に通知するための通知情報を生成し、多重部１６０に出力する。なお、パイロット構造の切り替えと、マッピングの対応に関しては後述する。
【００７９】
方式管理部３１０は、複数のパイロット構造情報それぞれに対応するマッピング方式を記憶し、パイロット制御部３２０から通知されるパイロット構造情報に対応するマッピング方式を選択し、選択したマッピング方式を示すマッピング方式情報をマッピング部１２０へ通知する。
【００８０】
パイロット生成部３３０は、パイロット制御部３２０から通知されるパイロット生成制御情報に基づいてパイロットシンボルを生成する。
【００８１】
多重部３４０は、パイロット制御部３２０から通知される多重制御情報に基づいて、パイロットシンボル系列、変調シンボル系列、並びにパイロット制御部３２０で生成された通知情報を多重する。
【００８２】
次に、本実施形態の送信機３００の動作の概略の一例を説明する。符号化部１１０において、送信データは誤り訂正符号化され、システマティックビット系列とパリティビット系列とが出力される。なお、符号化部１１０は、所定のＭＣＳとなるようなパンクチャリングあるいはビットパディングなどのレートマッチング処理を含むものとする。方式管理部３１０は、パイロット制御部３２０から通知されたパイロット構造情報に基づいて、パイロット構造に対応するマッピング方式を選択し、マッピング方式情報をマッピング部１２０に通知する。マッピング部１２０では、方式管理部３１０から通知されるマッピング方式情報に基づいて、符号化部１１０から出力されたシステマティックビット系列とパリティビット系列を、それぞれに割り当てられたサブキャリアに配置されたシンボルに割り当てる。マッピング部１２０から出力されたビット系列は、変調部１４０で所定のＭＣＳに変調され、変調シンボル系列が出力される。
【００８３】
パイロット生成部３３０では、パイロット制御部から送られるパイロット生成制御情報に基づいて、伝搬路推定用のパイロットシンボル系列が生成される。多重部３４０では、パイロット制御部３２０から送られる多重制御情報に基づいて、変調部１４０において生成された変調シンボル系列と、パイロット生成部３３０で生成されたパイロットシンボル系列と、パイロット制御部３２０で生成された通知情報を多重する。多重部３４０から出力されたシンボル系列は、ＩＦＦＴ部１７０でＩＦＦＴ処理されＯＦＤＭシンボル系列が生成される。ＩＦＦＴ部１７０で生成されたＯＦＤＭシンボル系列は、無線送信部１８０からアンテナ部９１を介して受信機に送信される。
【００８４】
次に、受信機について説明する。図６は、第２の実施形態に係る受信機４００の構成の一例を示すブロック図である。図６に示すように、受信機４００は、無線受信部２１０、ＦＦＴ部２２０、分離部４１０、伝搬路推定部２４０、パイロット制御部４２０、チャネル補償部２５０、復調部２６０、デマッピング部２７０、方式管理部４３０、並びに、復号化部２９０を有する。受信機４００は、図２の受信機２００にパイロット制御部４２０が加わり、分離部４１０と方式管理部４２０の機能が変更されている。
【００８５】
パイロット制御部４２０は、送信機１００から通知された通知情報からパイロット構造を取得し、パイロット構造に対応するシンボルの分離を指示する分離制御情報を分離部４１０に通知する。また、パイロット構造情報を方式管理部４３０に通知する。
【００８６】
分離部４１０は、受信したシンボル系列から通知情報を分離し、分離した通知情報をパイロット制御部４２０へ通知する。また、パイロット制御部４２０から通知される分離制御情報に基づいてシンボル系列を分離する。
【００８７】
方式管理部４３０は、複数のパイロット構造情報それぞれに対応するマッピング方式を記憶し、パイロット制御部４２０から通知されるパイロット構造情報に対応するマッピング方式を選択し、選択したマッピング方式を示すデマッピング方式情報をデマッピング部２７０へ通知する。
【００８８】
次に、本実施形態の受信機４００の動作の概略の一例を説明する。アンテナ部９２を介して、無線受信部２１０で受信されたＯＦＤＭシンボル系列は、ＦＦＴ部２２０においてＦＦＴ処理されサブキャリアごとのシンボル系列が生成される。分離部４１０では、まず通知情報の分離が行われる。なお、通知情報は予め送信機３００と受信機４００の両方が既知である領域に多重しておくことにより、分離が可能である。分離部４１０で分離された通知情報はパイロット制御部４２０に送られる。前述の通り、パイロット制御部４２０は通知情報からパイロット構造を取得し、パイロット構造に対応する分離制御情報を分離部４１０に通知する。
【００８９】
分離部４１０は、パイロット制御部４２０から通知された分離制御情報に基づいて、サブキャリアごとのシンボル系列からパイロットシンボル系列と変調シンボル系列を分離し、パイロットシンボル系列を伝搬路推定部２４０に、変調シンボル系列をチャネル補償部２５０にそれぞれ出力する。伝搬路推定部２４０では、分離部４１０から送られてきたパイロットシンボル系列を基に、サブキャリアごとの伝搬路を推定し、推定結果（伝搬路推定結果）をチャネル補償部２５０に出力する。チャネル補償部２５０では、伝搬路推定部２４０から出力されたサブキャリアごとの伝搬路推定結果に基づいた重みを、分離部４１０から出力された変調シンボル系列に乗算することにより、チャネル補償を行う。
【００９０】
チャネル補償部２５０においてチャネル補償された変調シンボル系列は、復調部２６０において復調され、ビット系列が生成される。方式管理部４３０は、パイロット制御部４２０から送られたパイロット構造情報に基づいて、パイロット構造情報に対応するマッピング方式を選択し、デマッピング方式情報をデマッピング部２７０に通知する。デマッピング部２７０では、方式管理部４３０から通知されるデマッピング方式情報に基づいて、送信機３００内のマッピング部１２０と逆の処理が行われる。すなわち、復調部２６０から出力された各サブキャリアにおけるビット系列をシステマティックビット系列とパリティビット系列に分離する。復号化部２９０では、デマッピング部２７０から出力されたシステマティックビット系列とパリティビット系列を誤り訂正復号化し、受信データを取り出す。
【００９１】
次にパイロット構造の切り替えと、その際のマッピングの切り替えの一例として、図４の上段に示すパイロット構造と図７の上段に示すパイロット構造を切り替える場合について説明する。図７は、図４とはパイロット構造が異なるマッピング方式及び伝搬路推定誤差の一例を示す図である。図７の上段の矩形の表示も図３と同様である。なお、図４の上段に示すパイロット構造と図７上段に示すパイロット構造では、符号化率はほぼ等しい。すなわちシステマティックビット系列を割り当てるシンボル数とパリティビット系列を割り当てるシンボル数とがほぼ等しい。
【００９２】
図４の上段に示すパイロット構造は４サブキャリアおきにパイロットシンボルが多重されているのに対して、図７の上段に示すパイロット構造は２サブキャリアおきにパイロットシンボルが多重されている。このとき、伝搬路推定誤差は、図４の下段と図７の下段に示すように、周波数方向に異なる周期で変化する。そのため、システマティックビット系列を割り当てるべき伝搬路推定精度が高いサブキャリアに配置されたシンボルとパリティビット系列を割り当てるべき伝搬路推定精度が劣るサブキャリアに配置されたシンボルの配置は、図４の上段と図７の上段に示すように異なる。
【００９３】
送信機３００内のパイロット制御部３２０内には、予め候補となるパイロット構造が設定されており（候補となるパイロット構造を複数記憶しており）、まずパイロット構造を決定し、それに対応するパイロット構造情報、多重制御情報、通知情報を出力する。受信機４００内のパイロット制御部４２０内にも、送信機内のパイロット制御部内に設定されているものと共通なパイロット構造と、それに対応するパイロット構造情報および分離情報が設定されており、通知情報から取得したパイロット構造に対応するパイロット構造情報と分離情報を出力する。
【００９４】
送信機３００では、方式管理部３１０は、上記のように複数のパイロット構造と、システマティックビット数とパリティビット数の比率に基づいてそれぞれ算出された複数のマッピング方式が記憶されており、パイロット制御部３２０から通知されたパイロット構造情報に対応するマッピング方式を示すマッピング方式情報をマッピング部に通知する。
【００９５】
受信機４００では、方式管理部４３０は、送信機３００の方式管理部３１０と同様に、上記のように複数のパイロット構造と、システマティックビット数とパリティビット数の比率に基づいてそれぞれ算出された複数のマッピング方式が記憶されており、パイロット制御部４２０から通知されたパイロット構造情報に対応するマッピング方式を示すデマッピング方式情報をデマッピング部２７０に通知する。
【００９６】
なお、通知情報は送信の度、あるいは一定の周期で通知してもよいし、パイロット構造を切り替える場合のみ通知してもよい。
【００９７】
以上のように、パイロット構造を切り替えるシステムにおいても、各パイロット構造において予め伝搬路推定誤差を予測することにより、各ＭＣＳに対応したシステマティックビット系列とパリティビット系列のマッピング方式（マッピング方法）を、それぞれのパイロット構造に対して一意に決めることができる。そのため、予め送信機と受信機の間でマッピング方式を設定しておくことにより、パイロット構造を切り替える信号のみを通知し、マッピング方式通知のための新たな通知情報を用いることなく、誤り率の低い割り当てを行うことができる。
【００９８】
（第３の実施形態）
上記各実施形態では、各送信単位で所定の符号化率および変調方式を採用する場合について説明した。第３の実施形態では、特にＭＣＳ（符号化率および変調方式）が一つ以上の送信単位毎に異なる場合、すなわち適応変調方式を適用するシステムに本発明を適用する場合について説明する。
【００９９】
図８は、第３の実施形態に係る送信機の構成の一例を示すブロック図である。図８に示すように、送信機５００は、適応変調制御部５１０、符号化部５２０、マッピング部１２０、方式管理部５３０、変調部５４０、パイロット生成部１５０、多重部１６０、ＩＦＦＴ部１７０、無線送信部１８０、並びに、アンテナ部９１を有する。送信機５００は、図１の送信機１００に適応変調制御部５１０が加わり、符号化部５２０、方式管理部５３０、変調部５４０、及び多重部５５０の機能が変更されている。
【０１００】
適応変調制御部５１０は、ＭＣＳの切り替えを制御するブロックであり、切り替えたＭＣＳに対応するＭＣＳ情報（変調パラメータ情報）を符号化部５２０と方式管理部５３０および変調部５４０に通知する。また、切り替えたＭＣＳを受信機に通知するための通知情報を生成し、多重部１６０に出力する。なお、ＭＣＳの切り替えと、マッピングの対応に関しては後述する。
【０１０１】
符号化部５２０は、適応変調制御部５１０から通知されるＭＣＳ情報に基づいて、誤り訂正符号化したビット系列を出力する。
【０１０２】
方式管理部５３０は、複数の変調パラメータ情報それぞれに対応するパイロット方式を記憶し、適応変調制御部５１０から通知されるＭＣＳ情報に対応するマッピング方式情報を選択し、選択したマッピング方式を示すマッピング方式情報をマッピング部１２０へ通知する。
【０１０３】
変調部５４０は、適応変調制御部５１０から通知されるＭＣＳ情報に基づいて、シンボル系列を変調し、変調シンボル系列を出力する。
【０１０４】
多重部５５０は、適応変調制御部５１０から通知される多重制御情報に基づいて、パイロットシンボル系列、変調シンボル系列、並びに適応変調制御部５１０で生成された通知情報を多重する。
【０１０５】
次に、本実施形態の送信機５００の動作の概略の一例を説明する。符号化部５２０において、送信データは適応変調制御部５１０から通知されたＭＣＳ情報に基づいて誤り訂正符号化され、システマティックビット系列とパリティビット系列とが出力される。なお、符号化部５２０は、適応変調制御部５１０から通知されたＭＣＳ情報が示すＭＣＳとなるようなパンクチャリングあるいはビットパディングなどのレートマッチング処理を含むものとする。方式管理部５３０は、適応変調制御部５１０から通知されたＭＣＳ情報に基づいてマッピング方式を選択し、マッピング方式情報をマッピング部１２０に通知する。マッピング部１２０では、方式管理部５３０から通知されるマッピング方式情報に基づいて、符号化部５２０から出力されたシステマティックビット系列とパリティビット系列を、それぞれに割り当てられたサブキャリアにマッピングする。マッピング部１２０から出力されたビット系列は、変調部５４０で適応変調制御部５１０から通知されたＭＣＳ情報に基づいて変調され、変調シンボル系列が出力される。パイロット生成部１５０では、伝搬路推定用のパイロットシンボル系列が生成される。多重部５５０では、変調部５４０において生成された変調シンボル系列と、パイロット生成部１５０で生成されたパイロットシンボル系列と、適応変調制御部５１０で生成された通知情報を多重する。多重部５５０から出力されたシンボル系列は、ＩＦＦＴ部１７０でＩＦＦＴ処理されＯＦＤＭシンボル系列が生成される。ＩＦＦＴ部１７０で生成されたＯＦＤＭシンボル系列は、無線送信部１８０からアンテナ部９１を介して受信機に送信される。
【０１０６】
図９は、第３の実施形態に係る受信機６００の構成の一例を示すブロック図である。図９に示すように、受信機６００は、無線受信部２１０、ＦＦＴ部２２０、分離部６１０、伝搬路推定部２４０、チャネル補償部２５０、適応変調制御部６２０、復調部６３０、デマッピング部２７０、方式管理部６４０、並びに、復号化部６５０を有する。受信機６００は、図２の受信機２００に適応変調制御部６２０が加わり、分離部６１０、復調部６３０、方式管理部６４０、及び復号化部６５０の機能が変更されている。
【０１０７】
分離部６１０は、受信したシンボル系列から通知情報を分離し、分離した通知情報を適応復調制御部６２０へ通知する。
【０１０８】
適応復調制御部６２０は、送信機５００から通知された通知情報からＭＣＳを取得し、通知されたＭＣＳを示すＭＣＳ情報を方式管理部６４０に通知する。
【０１０９】
復調部６３０は、適応復調制御部６２０から通知されるＭＣＳ情報に基づいてシンボル系列を復調する。
【０１１０】
方式管理部６４０は、複数のＭＣＳ情報それぞれに対応するマッピング方式を記憶し、適応復調制御部６２０から通知されるＭＣＳ情報に対応するマッピング方式を選択し、選択したマッピング方式を示すデマッピング方式情報をデマッピング部２７０へ通知する。
復号化部６５０は、適応復調制御部６２０から通知されるＭＣＳ情報に基づいてビット系列を復号化する。
【０１１１】
次に、本実施形態の受信機６００の動作の概略の一例を説明する。アンテナ部９２を介して、無線受信部２１０で受信されたＯＦＤＭシンボル系列は、ＦＦＴ部２２０においてＦＦＴ処理されサブキャリアごとのシンボル系列が生成される。分離部６１０では、サブキャリアごとのシンボル系列からパイロットシンボル系列と通知情報と変調シンボル系列を分離し、パイロットシンボル系列を伝搬路推定部２４０に、変調シンボル系列をチャネル補償部２５０に、通知情報を適応復調制御部６２０にそれぞれ出力する。伝搬路推定部２４０では、分離部６１０から送られてきたパイロットシンボル系列を基に、サブキャリアごとの伝搬路を推定し、推定結果（伝搬路推定結果）をチャネル補償部２５０に出力する。チャネル補償部２５０では、伝搬路推定部２４０から出力されたサブキャリアごとの伝搬路推定結果に基づいた重みを、分離部６１０から出力された変調シンボル系列に乗算することにより、チャネル補償を行う。
【０１１２】
チャネル補償部２５０においてチャネル補償された変調シンボル系列は、復調部６３０に送られる。復調部６３０では、適応復調制御部６１０から通知されたＭＣＳ情報に基づいて復調され、ビット系列が生成される。方式管理部６４０は、適応復調制御部６２０から送られたＭＣＳ情報に基づいて、ＭＣＳ情報に対応するマッピング方式を選択し、デマッピング方式情報をデマッピング部２７０に通知する。デマッピング部２７０では、方式管理部６４０から通知されるデマッピング方式情報に基づいて、送信機５００内のマッピング部１２０と逆の処理が行われる。すなわち、復調部６３０から出力された各サブキャリアにおけるビット系列をシステマティックビット系列とパリティビット系列に分離する。復号化部６５０では、適応復調制御部６２０から通知されたＭＣＳ情報に基づいて、デマッピング部２７０から出力されたシステマティックビット系列とパリティビット系列を誤り訂正復号化し、受信データを取り出す。
【０１１３】
次にＭＣＳの切り替えと、その際のマッピングの切り替えの一例として、図３の上段に示す符号化率と図４の上段に示す符号化率を切り替える場合について説明する。なお、図３の上段に示すパイロット構造と図４の上段に示すパイロット構造は等しい。
【０１１４】
図３の上段に示すシステマティックビット数とパリティビット数の比率は７：２４、すなわち符号化率が７／３１であるのに対して、図３の上段に示すシステマティックビット数とパリティビット数の比率は１５：１６、すなわち符号化率が１５／３１である。このとき、伝搬路推定誤差は、図３の下段と図４の下段に示すように、周波数方向に異なる周期で変化する。さらに、時間方向においても伝搬路変動が生じるため、同じサブキャリア上のシンボルでもパイロットシンボルに近いシンボルの方が伝搬路推定誤差は小さい。そのため、システマティックビット系列を割り当てるべき伝搬路推定精度が高いサブキャリアに配置されたシンボルとパリティビット系列を割り当てるべき伝搬路推定精度が劣るサブキャリアに配置されたシンボルを、図３の上段と図４の上段に示すように配置する。
【０１１５】
送信機５００内の適応変調制御部５１０内には、予め候補となるＭＣＳが設定されており、まずＭＣＳを決定し、それに対応するＭＣＳ情報、通知情報を出力する。受信機６００内の適応変調制御部６２０内にも、送信機５００内の適応変調制御部５１０内に設定されているものと共通なＭＣＳと、それに対応するＭＣＳ情報および分離情報が設定されており、通知情報から取得したＭＣＳに対応するＭＣＳ情報と分離情報を出力する。
【０１１６】
送信機５００の方式管理部５３０は、上記のように複数のＭＣＳと、パイロット構造に基づいてそれぞれ算出された複数のマッピング方式が記憶されており、適応変調制御部５１０から通知されたＭＣＳ情報に対応するマッピング方式を示すマッピング方式情報をマッピング部１２０に通知する。
【０１１７】
受信機６００の方式管理部６４０は、送信機５００の方式管理部５３０と同様に、上記のように複数のＭＣＳと、パイロット構造に基づいてそれぞれ算出された複数のマッピング方式が記憶されており、適応変調制御部６２０から通知されたＭＣＳ情報に対応するマッピング方式を示すデマッピング方式情報をデマッピング部２７０に通知する。
【０１１８】
以上のように、ＭＣＳを切り替えるシステムにおいても、各パイロット構造において予め伝搬路推定誤差を予測することにより、各ＭＣＳに対応したシステマティックビット系列とパリティビット系列のシンボル群へのマッピング方式（マッピング方法）を一意に決めることができる。そのため、予め送信機と受信機の間でマッピング方式を設定しておくことにより、パイロット構造を切り替える信号のみを通知し、マッピング方式通知のための新たな通知情報を用いることなく、誤り率の低い割り当てを行うことができる。
【０１１９】
なお、本実施形態では、パイロット構造が固定である場合について説明したが、第２の実施形態で説明したようなパイロット構造を適応的に変更するシステムに適応変調を適用する場合においても、容易に適用することができる。この場合、送信機５００は、パイロット制御部（図５のパイロット制御部３２０に相当する）を備え、方式管理部５３０は、複数のパイロット構造と複数のＭＣＳとの組み合わせそれぞれに対応するパイロット方式を記憶し、パイロット制御部から出力されるパイロット構造情報と適応変調制御部５１０から出力される変調パラメータ情報とを入力し、入力したパイロット構造情報と変調パラメータ情報との組み合わせに対応するマッピング方式情報を選択し、選択したマッピング方式を示すマッピング方式情報をマッピング部１２０へ通知する。受信機６００でも同様の動作を実施する。
【０１２０】
（第４の実施形態）
第４の実施形態では、スキャッタードパイロットを適用する場合について説明する。図１０は、スキャッタードパイロットを適用するマッピング方式及び伝搬路推定誤差の一例を示す図である。上記各実施形態の送信機並びに受信機は、図１０に示すようなスキャッタードパイロットにも適用することができる。スキャッタードパイロットは、周波数方向と時間方向の２次元にパイロットシンボルが配置される。この場合も、予め各シンボルの伝搬路推定精度を検証しておくことにより、各シンボルの伝搬路推定精度に順序付けすることができる。これに基づいて、システマティックビット系列を割り当てるべきシンボルとパリティビット系列を割り当てるべきシンボルを決定し、パイロット構造に対応付ければよい。
【０１２１】
（第５の実施形態）
パイロットシンボルを多重する通信システムでは、自セルあるいはセクタにおける伝搬路状態と、隣接するセルあるいはセクタからの伝搬路状態を識別するために、拡散されたパイロットシンボルを用いる場合がある。本実施の形態では、拡散されたパイロットシンボルを用いる場合について説明する。
【０１２２】
図１１は、拡散されたパイロットシンボルを多重する場合のマッピング方式及び伝搬路推定誤差の一例を示す図である。図１１の上段に拡散されたパイロットシンボルを多重した例を示す。図１１の上段において、黒塗りの矩形は、拡散されたパイロットシンボル、白抜きの矩形は、システマティックビットを割り当てるシンボル、網掛けの矩形は、パリティビットを割り当てるシンボルを示す。パイロットシンボルは符号長４の拡散符号により送信側で拡散されたものが多重され、受信側で分離後、逆拡散処理により、自セルからのパイロットシンボルのみを取り出すことにより、自セルからの伝搬路状態を推定する。図１１の上段では、周波数の低い方から４つずつのパイロットシンボルが逆拡散される。このとき、伝搬路推定精度は、図１１の下段に示すように、パイロットシンボルが拡散された帯域の中心付近のサブキャリアに配置されたシンボルで高くなり、拡散された帯域の端に近いサブキャリアに配置されたシンボルほど低くなる。
【０１２３】
すなわち、パイロットシンボルが拡散された帯域の中心付近のサブキャリアにシステマティックビット系列を割り当て、拡散された帯域の端に近いサブキャリアにパリティビット系列を割り当てるようにすればよい。
【０１２４】
以上のように、拡散されたパイロットにおいても本発明を適用することができるため、誤り率の低いマッピングを行うことができる。
【０１２５】
（第６の実施形態）
第６の実施形態では、符号化利得をさらに得るために、インタリーブを行うシステムに関して説明する。
【０１２６】
従来は、システマティックビット系列とパリティビット系列を区別することなくマッピングを行っていた。そのため、インタリーブ処理も、システマティックビット系列とパリティビット系列を区別せずに行っていた。本発明では、システマティックビット系列とパリティビット系列を割り当てるサブキャリア（シンボル）が異なるため、インタリーブ処理はシステマティックビット系列とパリティビット系列それぞれに施す。図１２は、第６の実施形態に係るインタリーブを適用する送信機の構成の一例を示すブロック図である。図１３は、第６の実施形態に係るインタリーブを適用する受信機の構成の一例を示すブロック図である。
【０１２７】
図１２に示すように、送信機７００は、符号化部１１０、マッピング部１２０、方式管理部１３０、変調部１４０、パイロット生成部１５０、多重部１６０、ＩＦＦＴ部１７０、無線送信部１８０、並びに、アンテナ部９１に加えて、システマティックビット系列にインタリーブ処理を施すインタリーブ部Ａ７１０とパリティビット系列にインタリーブ処理を施すインタリーブ部Ｂ７２０とをさらに有する。
【０１２８】
符号化部１１０から出力されたシステマティックビット系列およびパリティビット系列が、インタリーブ部Ａ７１０およびインタリーブ部Ｂ７２０でインタリーブ処理され、インタリーブ部Ａ７１０およびインタリーブ部Ｂ７２０からの出力がマッピング部１２０に入力される点以外は、図１と同様の構成でよい。
【０１２９】
また、図１３に示すように、受信機８００は、アンテナ部９２、無線受信部２１０、ＦＦＴ部２２０、分離部２３０、伝搬路推定部２４０、チャネル補償部２５０、復調部２６０、デマッピング部２７０、方式管理部２８０、並びに、復号化部２９０に加えて、送信機７００内のインタリーブ部Ａ７１０における処理と逆の処理を行うデインタリーブ部Ａ８１０と送信機７００内のインタリーブ部Ｂ７２０における処理と逆の処理を行うデインタリーブ部Ｂ８２０とをさらに有する。
【０１３０】
デマッピング部２７０から出力された２つのビット系列が、デインタリーブ部Ａ８１０およびデインタリーブ部Ｂ８２０でデインタリーブ処理され、デインタリーブ部Ａ８１０およびデインタリーブ部Ｂ８２０からの出力がシステマティックビット系列およびパリティビット系列として復号化部２９０に入力される点以外は、図２と同様の構成でよい。
【０１３１】
このように、システマティックビット系列とパリティビット系列のそれぞれに対してインタリーブ処理を行うことにより、符号化利得を向上するができる。
【０１３２】
なお、本実施形態では、図１の送信機並びに図２の受信機にインタリーブを適用する場合を説明したが、図５または図８の送信機、図６または図９の受信機にインタリーブを適用することも可能である。
【０１３３】
（第７の実施形態）
上記各実施形態では、符号化部から出力されたシステマティックビット系列とパリティビット系列の２種類のビット系列を、それぞれマッピングする場合について説明した。第７の実施形態では、３種類のビット系列をそれぞれ異なるシンボル群に割り当てる場合について説明する。
【０１３４】
本実施形態では、符号化率２／５でＨＡＲＱ（Ｈｙｂｒｉｄ  Ａｕｔｏｍａｔｉｃ  Ｒｅｐｅａｔ  ｒｅＱｕｅｓｔ）を適用する場合について説明する。なお、ＨＡＲＱにおける初送時と再送時のパンクチャパターンの一例としては、図１４に示すようなパターンを用いる。すなわち初送時はシステマティックビットとパンクチャされたパリティビットを送信し、再送時はシステマティックビットと初送とは異なるパンクチャパターンでパンクチャされたパリティビットを送信する。受信機は、初送時のデパンクチャリング後の軟判定ビット系列と再送時のデパンクチャリング後の軟判定ビット系列を等利得合成して、合成されたビット系列を用いてターボ復号する（いわゆるＨＡＲＱタイプＩＩＩ）。
【０１３５】
図１５は、第７の実施形態に係る送信機の構成の一例を示すブロック図である。図１６は、第７の実施形態に係る受信機の構成の一例を示すブロック図である。
【０１３６】
図１５に示すように、送信機９００は、符号化部９１０、マッピング部９２０、方式管理部９３０、変調部１４０、パイロット生成部１５０、多重部１６０、ＩＦＦＴ部１７０、無線送信部１８０、並びに、アンテナ部９１に加えて、再送制御部９４０を有する。図１６に示すように、受信機１０００は、無線受信部２１０、ＦＦＴ部２２０、分離部２３０、伝搬路推定部２４０、チャネル補償部２５０、復調部２６０、デマッピング部１０１０、方式管理部１０２０、並びに、復号化部１０３０に加えて、再送制御部１０４０を有する。
【０１３７】
まず図１５に沿って、送信機９００内の処理について説明する。送信機９００内の再送制御部９４０は、初送であるか再送であるか（あるいは何回目の送信か）を示す送信回数情報を符号化部９１０と方式管理部９３０に通知する。
【０１３８】
符号化部９１０は再送制御部９４０から通知された送信回数情報に基づいて、初送時は第１の実施形態における処理と同様にシステマティックビット系列とパリティビット系列とを出力するとともに、システマティックビット系列とパンクチャリング前のパリティビット系列を記憶しておく。
【０１３９】
方式管理部９３０は、予め送信回数に対応したマッピング方式が記憶されており、再送制御部９４０から通知された送信回数情報に基づいて、送信回数に対応したマッピング方式情報をマッピング部９２０に通知する。
【０１４０】
マッピング部９２０は、入力する３種類のビット系列を方式管理部９３０から通知されるマッピング方式情報に従って割り当てる。その他のブロックは第１の実施形態と同様の処理を行う。
【０１４１】
符号化部９１０は、再送時は、初送時に記憶したシステマティックビット系列とパリティビット系列に初送時とは異なるパンクチャパターンのパンクチャリングを施す。図１４に示すパンクチャパターンを用いる場合、システマティックビット系列は初送時と同じとなり、パリティビット系列は、初送時に送信したパリティビット系列（以下、既送信パリティビット系列と呼ぶ）と初送時に送信していないパリティビット系列（以下、未送信パリティビット系列と呼ぶ）とから構成される。符号化部９１０は、これら３種類のビット系列（システマティックビット系列、未送信パリティビット系列、既送信パリティビット系列）を出力する。
【０１４２】
マッピング部９２０は、符号化部９１０から出力された３種類のビット系列を、方式管理部から通知されたマッピング方式に基づいてマッピングを行う。送信回数（初送か再送か）とマッピング方式との対応については後述する。
【０１４３】
次に、図１６に沿って、受信機１０００内の処理について説明する。受信機１０００内の再送制御部１０４０は、初送であるか再送であるか（あるいは何回目の送信か）を示す送信回数情報を復号化部１０３０と方式管理部１０２０に通知する。
【０１４４】
方式管理部１０２０は、予め送信回数に対応したマッピング方式が送信機９００内の方式管理部９３０と共通に記憶されており、再送制御部１０４０から通知された送信回数情報に基づいて、送信回数に対応したデマッピング方式情報をデマッピング部１０１０に通知する。
【０１４５】
復号化部１０３０は再送制御部１０４０から通知された送信回数情報に基づいて、初送時は第１の実施形態における処理と同様にシステマティックビット系列とパリティビット系列とから復号するとともに、システマティックビット系列とデパンクチャリング後のパリティビット系列を記憶しておく。
【０１４６】
デマッピング部１０１０は、再送時、復調部２６０から出力されたビット系列を、方式管理部１０２０から通知されたデマッピング方式に基づいて、送信機９００内のマッピング部９２０と逆の処理が行われる。すなわち、復調部２６０から出力された各サブキャリアにおけるビット系列をシステマティックビット系列とパリティビット系列に分離する。
【０１４７】
復号化部１０３０は、再送時は、再送時にデパンクチャリングしたシステマティックビット系列とパリティビット系列と、初送時に記憶したシステマティックビット系列とパリティビット系列に初送時とを合成し、合成したビット系列を用いて復号化を行う。その他のブロックは第１の実施形態と同様の処理を行う。
【０１４８】
次に、再送時のビット系列のシンボル群への割り当ての一例を説明する。図１７は、再送時のマッピング方式及び伝搬路推定誤差の一例を示す図である。再送時のマッピングの一例として、図１７の上段に示すマッピング方式について説明する。図１７の上段において、黒塗りの矩形はパイロットシンボルであり、白抜きの矩形はシステマティックビットを割り当てるシンボルであり、網掛けの矩形はパリティビット（既送信）を割り当てるシンボルであり、斜線の矩形はパリティビット（未送信）をマッピングするシンボルであり、格子の矩形は他の情報用のシンボルである。なお、本実施形態では、システマティックビットとパリティビットの他に、他の情報用に割り当てるシンボルを含む場合について説明するが、このような情報は必ずしも必要ではない。
【０１４９】
再送時の３種類のビット系列（システマティックビット系列、未送信パリティビット系列、既送信パリティビット系列）のビット数の比率は、図１４に示すように２：１：２である。一般的に、初送時と再送時のパリティビットの等利得合成によるダイバーシチ利得に比べて、新たなパンクチャパターンによる符号化利得の方が大きい。すなわち、復号時に未送信パリティビット系列は既送信パリティビット系列よりも重要度が高いと言える。そこで、図１７の上段に示すように、最も伝搬路推定誤差が小さい上位４割のシンボル群にシステマティックビット系列を割り当て、次に伝搬路推定誤差が小さい２割のシンボル群に見送信パリティビット系列を割り当て、残りの４割のシンボル群に既送信パリティビット系列を割り当てる。
【０１５０】
以上のように、ＨＡＲＱを適用する場合、システマティックビット系列、未送信パリティビット系列、既送信パリティビット系列をそれぞれ異なるシンボル群に割り当てることで、誤り率の低い割り当てを行うことができる。
【０１５１】
なお、上記各実施形態では、パイロット構造に対応するマッピング方式（マッピング方法）を例示しているが、パイロット構造に対応して、システマティックビット系列とパリティビット系列を割り当てるシンボル群を変更するものであれば、例示したマッピング方式に限るものではない。また、受信機内のデマッピング部は、復調されたビット系列をシステマティックビット系列とパリティビット系列にデマッピングすると表現しているが、これらビット系列は復調後の軟判定値系列であってもよいことは勿論である。
【図面の簡単な説明】
【０１５２】
【図１】第１の実施形態に係る送信機の構成の一例を示すブロック図である。
【図２】第１の実施形態に係る受信機の構成の一例を示すブロック図である。
【図３】マッピング方式及び伝搬路推定誤差の一例を示す図である。
【図４】図３とは符号化率が異なるマッピング方式及び伝搬路推定誤差の一例を示す図である。
【図５】第２の実施形態に係る送信機の構成の一例を示すブロック図である。
【図６】第２の実施形態に係る受信機の構成の一例を示すブロック図である。
【図７】図４とはパイロット構造が異なるマッピング方式及び伝搬路推定誤差の一例を示す図である。
【図８】第３の実施形態に係る送信機の構成の一例を示すブロック図である。
【図９】第３の実施形態に係る受信機の構成の一例を示すブロック図である。
【図１０】スキャッタードパイロットを適用するマッピング方式及び伝搬路推定誤差の一例を示す図である。
【図１１】拡散されたパイロットシンボルを多重する場合のマッピング方式及び伝搬路推定誤差の一例を示す図である。
【図１２】第６の実施形態に係るインタリーブを適用する送信機の構成の一例を示すブロック図である。
【図１３】第６の実施形態に係るインタリーブを適用する受信機の構成の一例を示すブロック図である。
【図１４】ＨＡＲＱにおける初送時と再送時のパンクチャパターンの一例を示す図である。
【図１５】第７の実施形態に係る送信機の構成の一例を示すブロック図である。
【図１６】第７の実施形態に係る受信機の構成の一例を示すブロック図である。
【図１７】再送時のマッピング方式及び伝搬路推定誤差の一例を示す図である。
【図１８】従来のＯＦＤＭ変調システムのフレーム構成の一例を示す図である。
【図１９】従来のサブキャリアの割り当ての一例を示す図である。
【符号の説明】
【０１５３】
９１、９２  アンテナ部
１００、３００、５００、７００、９００  送信機
１１０、５２０、９１０  符号化部
１２０、９２０  マッピング部
１３０、２８０、３１０、４３０、５３０、６４０、９３０、１０２０  方式管理部
１４０、５４０  変調部
１５０、３３０  パイロット生成部
１６０、３４０、５５０  多重部
１７０  ＩＦＦＴ部
１８０  無線送信部
２００、４００、６００、８００、１０００  受信機
２１０  無線受信部
２２０  ＦＦＴ部
２３０、４１０、６１０  分離部
２４０  伝搬路推定部
２５０  チャネル補償部
２６０、６３０  復調部
２７０、１０１０  デマッピング部
２９０、６５０、１０３０  復号化部
３２０、４２０  パイロット制御部
５１０、６２０  適応変調制御部
７１０  インタリーブ部Ａ
７２０  インタリーブ部Ｂ
８１０  デインタリーブ部Ａ
８２０  デインタリーブ部Ｂ
９４０、１０４０  再送制御部
【図１】
2007288350.tif 000003
【図２】
2007288350.tif 000004
【図３】
2007288350.tif 000005
【図４】
2007288350.tif 000006
【図５】
2007288350.tif 000007
【図６】
2007288350.tif 000008
【図７】
2007288350.tif 000009
【図８】
2007288350.tif 000010
【図９】
2007288350.tif 000011
【図１０】
2007288350.tif 000012
【図１１】
2007288350.tif 000013
【図１２】
2007288350.tif 000014
【図１３】
2007288350.tif 000015
【図１４】
2007288350.tif 000016
【図１５】
2007288350.tif 000017
【図１６】
2007288350.tif 000018
【図１７】
2007288350.tif 000019
【図１８】
2007288350.tif 000020
【図１９】
2007288350.tif 000021